(57)【特許請求の範囲】
【請求項１】
給水源から水がタンク下部に供給され、タンク上部に給湯用の湯を貯湯する貯湯タンクと、
前記貯湯タンクのタンク下部の冷水を加熱し、作製した湯をタンク上部から蓄熱していく電気式温水作製手段と、
タンク上部に貯湯する最低貯湯量を設定するための最低貯湯量設定手段と、
前記電気式温水作製手段を制御する制御器とを備え、
料金設定が最も低い深夜時間帯には、現時点での貯湯熱量、目標蓄熱量、および前記電気式温水作製手段の能力に基づいて深夜時間帯終了直前に貯湯熱量が目標蓄熱量に到達する様な加熱開始時刻を前記制御器が求め、貯湯タンク内に貯湯された給湯用の湯量が最低貯湯設定量＋第１所定量α１以下になる状態を待機中に検知すると前記制御器が前記電気式温水作製手段を作動して増湯を行い、前記加熱開始時刻が到来すると前記制御器が前記電気式温水作製手段を作動させ、
料金設定が比較的低い朝晩時間帯には、貯湯タンク内に貯湯された給湯用の湯量が最低貯湯設定量＋第２所定量α２以下になる状態を検知すると前記電気式温水作製手段を作動して増湯を行い、
料金設定が高い昼間時間帯には、最低貯湯設定量＋第３所定量α３以下になる状態を検知すると前記電気式温水作製手段を作動して増湯を行う給湯装置であって、
前記深夜時間帯の前記第１所定量α１および前記昼間時間帯の前記第３所定量α３を小さい値に設定し、且つ前記朝晩時間帯の前記第２所定量α２を前記昼間時間帯の前記第３所定量α３より大きく設定したことを特徴とする給湯装置。
【請求項２】
給水源から水がタンク下部に供給され、給湯用の湯をタンク上部側に貯湯する貯湯タンクと、
前記貯湯タンクのタンク下部から冷水を取り入れ、作製した湯をタンク上部に送り込む電気式温水作製手段と、
タンク上部に貯湯する最低貯湯量を設定するための最低貯湯量設定手段と、
前記電気式温水作製手段を制御する制御器とを備え、
料金設定が最も低い深夜時間帯には、現時点での貯湯熱量、目標蓄熱量、および前記電気式温水作製手段の能力に基づいて深夜時間帯終了直前に貯湯熱量が目標蓄熱量に到達する様な加熱開始時刻を前記制御器が求め、貯湯タンク内に貯湯された給湯用の湯量が湯切れ防止最低貯湯量および最低貯湯設定量のうち多い方＋第１所定量β１以下になる状態を待機中に検知すると前記電気式温水作製手段を作動して増湯を行い、前記加熱開始時刻が到来すると前記制御器が前記電気式温水作製手段を作動させ、
料金設定が比較的低い朝時間帯には、貯湯タンク内に貯湯された給湯用の湯量が前記湯切れ防止最低貯湯量および前記最低貯湯設定量のうち多い方＋第２所定量β２以下になる状態を検知すると前記電気式温水作製手段を作動して増湯を行い、
料金設定が高い昼間時間帯には、貯湯タンク内に貯湯された給湯用の湯量が前記湯切れ防止最低貯湯量および前記最低貯湯設定量のうち多い方＋第３所定量β３以下になる状態を検知すると前記電気式温水作製手段を作動して増湯を行い、料金設定が比較的低い晩時間帯には、貯湯タンク内に貯湯された給湯用の湯量が前記湯切れ防止最低貯湯量および前記最低貯湯設定量のうち多い方＋第４所定量β４以下になる状態を検知すると前記電気式温水作製手段を作動して増湯を行う給湯装置であって、
前記深夜時間帯の前記第１所定量β１および前記昼間時間帯の前記第３所定量β３を小さい値に設定し、且つ前記朝時間帯の前記第２所定量β２および前記晩時間帯の前記第４所定量β４を共に、前記深夜時間帯の前記第１所定量β１や前記昼間時間帯の前記第３所定量β３より大きく設定したことを特徴とする給湯装置。
【請求項３】
前日の昼間時間帯に増湯を行ったか否かを前記深夜時間帯が終了した時点で判別する増湯判別手段を設け、
前日の昼間時間帯に増湯を行っていた場合には前記朝時間帯の前記第２所定量β２を増量し、前日の昼間時間帯に増湯を行っていない場合には前記朝時間帯の前記第２所定量β２を減量することを特徴とする請求項２記載の給湯装置。
【発明の詳細な説明】
【０００１】
【発明の属する技術分野】
本発明は、電力料金設定が、深夜時間帯＜朝晩時間帯＜昼間時間帯になっている時間帯別の電気契約に対応し、経済的に沸き上げを行う電気式の給湯装置に関する。
【０００２】
【従来の技術】
全電化住宅や電気調理器具等の普及に伴い、“季節別時間帯別電灯契約”という電気契約を、世帯主と電力会社とのあいだで結ぶことができる。
この電気契約では、１日を深夜時間帯（２３：００〜７：００）、朝晩時間帯（７：００〜１０：００、１７：００〜２３：００）、および昼間時間帯（１０：００〜１７：００）に分け、各時間帯の料金設定を、昼間時間帯＜朝晩時間帯＜深夜時間帯に決めている。なお、深夜時間帯の料金設定は通常契約の１／３程度であるが、昼間時間帯の料金設定は通常契約より割高になっている。
【０００３】
貯湯タンクの上部から給湯用の湯を貯湯していく電気式の給湯装置の使用に伴って、上記“季節別時間帯別電灯契約”を結んだ場合、料金が安い深夜時間帯に湯を作製し、他の時間帯では湯量不足が生じた場合のみ増湯を行う制御を実施している。具体的には、マニュアル設定した最低貯湯量（０〜１５０リットル）に一定量（例えば５０リットル）を加えた量を下回らない様に増湯を行う制御を行っている。
【０００４】
【発明が解決しようとする課題】
しかし、湯量不足が生じた場合には、増湯を行う制御が自動的に行われるので、使用者の生活パターンによっては、料金設定が高い昼間時間帯に増湯が頻繁に行われる可能性がある。
【０００５】
本発明の目的は、電力会社と結んだ電気契約の料金設定が高い昼間時間帯に増湯が行われ難い電気式の給湯装置の提供にある。
【０００６】
【課題を解決するための手段】
〔請求項１について〕
給湯装置は、給水源から水がタンク下部に供給され、タンク上部に給湯用の湯を貯湯する貯湯タンクと、この貯湯タンクのタンク下部の冷水を加熱し、作製した湯をタンク上部から蓄熱していく電気式温水作製手段と、タンク上部に貯湯する最低貯湯量を設定するための最低貯湯量設定手段と、電気式温水作製手段を制御する制御器とを備える。
【０００７】
料金設定が最も低い深夜時間帯には、制御器が、現時点での貯湯熱量、目標蓄熱量、および電気式温水作製手段の能力に基づいて深夜時間帯終了直前に貯湯熱量が目標蓄熱量に到達する様な加熱開始時刻を求め、加熱開始時刻が到来すると電気式温水作製手段を沸き上げ完了または深夜時間帯が終了するまで作動させる。また、利用者が湯を使って、待機中に、貯湯タンク内に貯湯された給湯用の湯量が最低貯湯設定量＋第１所定量α１以下になると、制御器がその状態を検知し電気式温水作製手段を作動して増湯を行う。
【０００８】
料金設定が比較的低い朝晩時間帯には、利用者が湯を使って、貯湯タンク内に貯湯された給湯用の湯量が最低貯湯設定量＋第２所定量α２以下になると、制御器がその状態を検知し電気式温水作製手段を作動して増湯を行う。
【０００９】
料金設定が高い昼間時間帯には、利用者が湯を使って、貯湯タンク内に貯湯された給湯用の湯量が最低貯湯設定量＋第３所定量α３以下になると、制御器がその状態を検知し電気式温水作製手段を作動して増湯を行う。
【００１０】
給湯装置は、深夜時間帯の第１所定量α１および昼間時間帯の第３所定量α３を小さい値に設定し、且つ朝晩時間帯の第２所定量α２を昼間時間帯の第３所定量α３より大きく設定している。
【００１１】
給湯装置は、深夜時間帯以外の時間帯に増湯を行う必要があるときには、料金設定が比較的低い朝晩時間帯に極力、増湯を行う構成であるので、料金設定が高い昼間時間帯における増湯の稼働率を下げることができる。これにより、電気料金を低減することができる。
なお、加熱開始前の深夜時間帯や、昼間時間帯における湯切れを気にしなければ、第１所定量α１や第３所定量α３を０近傍（０を含む）とし、第２所定量α２を第３所定量α３より大きく、且つ適正な大きな値に設定すれば、電気料金の低減をより一層図ることができる。
【００１２】
〔請求項２について〕
給湯装置は、給水源から水がタンク下部に供給され、タンク上部側に給湯用の湯を貯湯する貯湯タンクと、この貯湯タンクのタンク下部から冷水を取り入れ、作製した湯をタンク上部に送り込む電気式温水作製手段と、タンク上部に貯湯する最低貯湯量を設定するための最低貯湯量設定手段と、電気式温水作製手段を制御する制御器とを備える。
【００１３】
料金設定が最も低い深夜時間帯には、制御器が、現時点での貯湯熱量、目標蓄熱量、および電気式温水作製手段の能力に基づいて深夜時間帯終了直前に貯湯熱量が目標蓄熱量に到達する様な加熱開始時刻を求め、加熱開始時刻が到来すると制御器が電気式温水作製手段を、沸き上げ完了または深夜時間帯が終了するまで作動させる。また、利用者が湯を使って、待機中に、貯湯タンク内に貯湯された給湯用の湯量が湯切れ防止最低貯湯量および最低貯湯設定量のうち多い方＋第１所定量β１以下になると、制御器がその状態を検知し電気式温水作製手段を作動して増湯を行う。
【００１４】
料金設定が比較的低い朝時間帯には、利用者が湯を使って、貯湯タンク内に貯湯された給湯用の湯量が湯切れ防止最低貯湯量および最低貯湯設定量のうち多い方＋第２所定量β２以下になると、制御器がその状態を検知し電気式温水作製手段を作動して増湯を行う。
【００１５】
料金設定が比較的低い晩時間帯には、利用者が湯を使って、貯湯タンク内に貯湯された給湯用の湯量が湯切れ防止最低貯湯量および最低貯湯設定量のうち多い方＋第４所定量β４以下になると、制御器がその状態を検知し電気式温水作製手段を作動して増湯を行う。
【００１６】
料金設定が高い昼間時間帯には、利用者が湯を使って、貯湯タンク内に貯湯された給湯用の湯量が湯切れ防止最低貯湯量および最低貯湯設定量のうち多い方＋第３所定量β３以下になると、制御器がその状態を検知し電気式温水作製手段を作動して増湯を行う。
【００１７】
深夜時間帯の第１所定量β１および昼間時間帯の第３所定量β３を小さい値に設定し、且つ朝時間帯の第２所定量β２および晩時間帯の第４所定量β４を共に、深夜時間帯の第１所定量β１や昼間時間帯の第３所定量β３より大きく設定している。
【００１８】
給湯装置は、深夜時間帯以外の時間帯に増湯を行う必要があるときには、料金設定が比較的低い朝時間帯および晩時間帯に極力、増湯を行う構成であるので、料金設定が高い昼間時間帯における増湯の稼働率を下げることができる。これにより、電気料金を低減することができる。
【００１９】
なお、加熱開始前の深夜時間帯や、昼間時間帯における湯切れを気にしなければ、、第１所定量β１や第３所定量β３を０近傍（０を含む）とし、且つ第２所定量β２および第４所定量β４を共に、第１所定量β１や第３所定量β３より大きく、且つ適正な大きな値に設定すれば、電気料金の低減をより一層図ることができる。
【００２０】
〔請求項３について〕
朝時間帯に使用者が大量の湯を使う生活パターンであると、昼間時間帯に増湯が行われる可能性が高い。そこで、前日の昼間時間帯に増湯を行ったか否かを深夜時間帯が終了した時点で判別する増湯判別手段を設け、前日の昼間時間帯に増湯を行っていた場合には朝時間帯の第２所定量β２を増量して、昼間時間帯に増湯が極力、行われない様に湯を貯めておく。
また、前日の昼間時間帯に増湯を行っていない場合には朝時間帯の第２所定量β２を減量して無駄な貯湯を省き、電気代の低減を図る。
なお、第２所定量β２は、上限値（例えば１２０リットル）と下限値（例えば０リットル）との間で変化させるのが好ましい。
【００２１】
【発明の実施の形態】
つぎに、本発明の第１実施例（請求項１に対応）を図１および図２に基づいて説明する。
給湯装置Ａは、給湯用の熱湯を貯湯する貯湯タンク１、２と、熱湯を作製する電気式温水作製手段３と、最低貯湯量を設定するための最低貯湯量設定手段４と、電気式温水作製手段３を制御する制御器５とを備える。
【００２２】
貯湯タンク１、２は、それぞれ、１５０リットルの容積を有し、貯湯タンク２の底部と貯湯タンク１の上部とを連絡配管１０を介して連結している。
貯湯タンク１には、タンク下部に連結した、減圧弁１１１を介設した給水配管１１を介して水１２が給水源１３から供給される。
減圧弁１１１は、給水源１３から供給される水１２の給水圧を下げて所定圧力以下に保持する役目を有する。
【００２３】
貯湯タンク２は、給湯用の温水配管２１をタンク上部に連結している。また、電気式温水作製手段３の出湯配管３１をタンク上部側に連結している。
貯湯タンク１、２は、熱湯化によって水の体積が膨張して内圧が高まるが、逃がし弁２２により一定圧力以下に保たれる。
【００２４】
電気式温水作製手段３は、タンク下部に連結した入水配管３２から水１２が供給され、タンク上部に連結した出湯配管３１を介して作製した熱湯を貯湯タンク２の上部に送り込む。
タンク上部に送り込まれた熱湯は、熱湯と冷水との比重差のため貯湯タンク１の上部に臨み、上部から順に貯湯される。
【００２５】
貯湯タンク２、１内の熱湯は、貯湯タンク２、１の、１５リットル、２０リットル、５０リットル、１００リットル、１６５リットル、２００リットル、２５０リットル、２７５リットルの各容積位置に配したサーミスタ１０１〜１０４、２０１〜２０４によって、その大凡（最低限５０リットル）の貯湯量が検出される。
【００２６】
６は冷温水混合弁であり、流量カウンタ６１が検出する流水量と、給湯温サーミスタ６２が検出する給湯温度とに基づいて、制御器５が、温水配管２１から供給される熱湯と、給水配管１１から供給される冷水との混合比を制御して、給湯栓（図示せず）から吐出する湯水の温度を設定温度に調節する。
【００２７】
つぎに、給湯装置Ａの、各時間帯における作動を図２に示すフローチャートに基づいて説明する。
ステップｓ１で最低貯湯量Ｌｓｅｔを最低貯湯量設定手段４で設定し、ステップｓ２に進む。
なお、本実施例では、サーミスタ１０１〜１０４、２０１〜２０４による湯量検出の分解能が略５０リットル毎であるので、最低貯湯量Ｌｓｅｔの設定できる値を０、５０、１００、１５０リットルにしている。
ステップｓ２で現在の時間帯を判別し、深夜時間帯である場合にはステップｓ３に進み、他の時間帯である場合にはステップｓ１１に進む。
【００２８】
［深夜時間帯（２３：００〜７：００）の作動］
ステップｓ３で、サーミスタ１０１〜１０４、２０１〜２０４の検出データに基づいて現在のタンク貯湯熱量Ｑｔの算出を行い、ステップｓ４に進む。
【００２９】
ステップｓ４で、現在のタンク貯湯熱量Ｑｔに基づいて目標蓄熱量Ｑｗを算出し、ステップｓ５に進む。
ステップｓ５で、現在のタンク貯湯熱量Ｑｔ、目標蓄熱量Ｑｗ、および電気式温水作製手段３の熱湯作製能力から、翌朝の７時直前に（深夜時間帯終了直前）に沸き上がる様な沸き上げ開始時間ｔ- ｓｔａｒｔを算出し、ステップｓ６に進む。
【００３０】
ステップｓ６で、サーミスタ１０１〜１０４、２０１〜２０４の検出データから判定される現在のタンク貯湯量Ｌｔが、最低貯湯量設定手段４で設定した最低貯湯量Ｌｓｅｔ、および湯切れ防止最低貯湯量Ｌｍｉｎ（例えば５０リットル）のうち多い方に、第１所定量α１（本実施例では０リットル）を加えた量を越えているか否かを判別し、第１所定量α１（本実施例では０リットル）を加えた量以下の場合（ＮＯ）にはステップｓ７に進み、越えている場合（ＹＥＳ）にはステップｓ８に進む。
なお、湯切れ防止最低貯湯量Ｌｍｉｎの値は、湯切れ防止の観点から、０リットルを越える、例えば、３０リットル値に決められている。
【００３１】
ステップｓ７で、電気式温水作製手段３を作動状態にして、追加沸き上げ量Ｌａｄｄ（本実施例では５０リットル）だけ増湯を行い、ステップｓ８に進む。
なお、本実施例では、サーミスタ１０１〜１０４、２０１〜２０４による湯量検出の分解能が略５０リットル毎であるので、追加沸き上げ量Ｌａｄｄを５０リットルにしている。
【００３２】
ステップｓ８で、沸き上げ開始時間ｔ- ｓｔａｒｔが到来しているか否かを判別し、到来していない場合（ＮＯ）はステップｓ３に戻り、到来している場合（ＮＯ）はステップｓ９に進む。
【００３３】
ステップｓ９で、現在のタンク貯湯熱量Ｑｔが目標蓄熱量Ｑｗを越えているか否かを判別し、越えていない場合（ＮＯ）にはステップｓ１０に進み、越えている場合（ＹＥＳ）にはステップｓ１２に進む。
【００３４】
ステップｓ１０で、電気式温水作製手段３を、沸き上げ完了または朝の７時（深夜時間帯終了時刻）迄、作動状態にし、ステップｓ２に戻る。
ステップｓ１１で現在の時間帯を判別し、朝晩時間帯である場合にはステップｓ１２に進み、昼間時間帯である場合にはステップｓ１４に進む。
【００３５】
［朝晩時間帯（７：００〜１０：００、１７：００〜２３：００）の作動］
ステップｓ１２で、サーミスタ１０１〜１０４、２０１〜２０４の検出データから判定される現在のタンク貯湯量Ｌｔが、最低貯湯量設定手段４で設定した最低貯湯量Ｌｓｅｔおよび湯切れ防止最低貯湯量Ｌｍｉｎ（本実施例では５０リットル）のうち多い方に、第２所定量α２（本実施例では５０リットル）を加えた量を越えているか否かを判別し、第２所定量α２（本実施例では５０リットル）を加えた量以下の場合（ＮＯ）にはステップｓ１３に進み、越えている場合（ＹＥＳ）にはステップｓ２に戻る。
【００３６】
ステップｓ１３で、電気式温水作製手段３を作動状態にして、追加沸き上げ量Ｌａｄｄ（本実施例では５０リットル）だけ増湯を行い、ステップｓ２に戻る。
【００３７】
［昼間時間帯（１０：００〜１７：００）の作動］
ステップｓ１４で、サーミスタ１０１〜１０４、２０１〜２０４の検出データから判定される現在のタンク貯湯量Ｌｔが、最低貯湯量設定手段４で設定した最低貯湯量Ｌｓｅｔおよび湯切れ防止最低貯湯量Ｌｍｉｎ（例えば５０リットル）のうち多い方に、第３所定量α３（本実施例では０リットル）を加えた量を越えているか否かを判別し、第３所定量α３（本実施例では０リットル）を加えた量以下の場合（ＮＯ）にはステップｓ１５に進み、越えている場合（ＹＥＳ）にはステップｓ２に戻る。
【００３８】
ステップｓ１５で、電気式温水作製手段３を作動状態にして、追加沸き上げ量Ｌａｄｄ（例えば５０リットル）だけ増湯を行い、ステップｓ２に戻る。
【００３９】
つぎに、給湯装置Ａの利点を述べる。
［ア］給湯装置Ａは第１所定量α１を０リットルに決めて、深夜時間帯において、通常の夜間沸き上げが開始されるまでは、最低貯湯量設定手段４で設定した最低貯湯量Ｌｓｅｔおよび湯切れ防止最低貯湯量Ｌｍｉｎ（５０リットル）のうち多い方に、第１所定量α１を（０リットル）を加えた量を維持する動作を行う。
【００４０】
また、第２所定量α２を５０リットル、第３所定量α３を０リットルに決めているので、利用者の湯の使用に伴って、深夜時間帯以外の時間帯に増湯の必要が生じる場合には、比較的料金設定が安い朝晩時間帯に第２所定量α２分（５０リットル）だけ多く増湯が行われるので、料金設定が高い昼間時間帯の沸き上げ稼働率を低くでき、電気料金の低減を図ることができる。
【００４１】
なお、湯切れ防止最低貯湯量Ｌｍｉｎの値は、湯切れ防止の観点からは０リットルを越える値が望ましいが、湯切れ防止最低貯湯量Ｌｍｉｎを０リットルに設定することにより、給湯装置Ａを電気代の節約優先で稼働させることができる。
【００４２】
つぎに、本発明の第２実施例（請求項２、３に対応）を図１および図３に基づいて説明する。
本実施例の給湯装置Ｂは、給湯装置Ａと機械的な構成は同じであるが作動が異なる。
給湯装置Ｂの各時間帯における作動を図３のフローチャートに基づいて説明する。
【００４３】
ステップＳ１で最低貯湯量Ｌｓｅｔを最低貯湯量設定手段４で設定し、ステップＳ２に進む。
なお、最低貯湯量Ｌｓｅｔの設定できる値は、０、５０、１００、１５０リットルである。
ステップＳ２で現在の時間帯を判別し、深夜時間帯である場合にはステップＳ３に進み、他の時間帯である場合にはステップＳ１５に進む。
【００４４】
［深夜時間帯（２３：００〜７：００）の作動］
ステップＳ３で、サーミスタ１０１〜１０４、２０１〜２０４の検出データに基づいて現在のタンク貯湯熱量Ｑｔの算出を行い、ステップＳ４に進む。
【００４５】
ステップＳ４で、現在のタンク貯湯熱量Ｑｔに基づいて目標蓄熱量Ｑｗを算出し、ステップＳ５に進む。
ステップＳ５で、現在のタンク貯湯熱量Ｑｔ、目標蓄熱量Ｑｗ、および電気式温水作製手段３の熱湯作製能力から、翌朝の７時直前に（深夜時間帯終了直前）に沸き上がる様な沸き上げ開始時間ｔ- ｓｔａｒｔを算出し、ステップＳ６に進む。
【００４６】
ステップＳ６で、サーミスタ１０１〜１０４、２０１〜２０４の検出データから判定される現在のタンク貯湯量Ｌｔが、最低貯湯量設定手段４で設定した最低貯湯量Ｌｓｅｔ、および湯切れ防止最低貯湯量Ｌｍｉｎ（例えば５０リットル）のうち多い方に、第１所定量β１（本実施例では０リットル）を加えた量を越えているか否かを判別し、第１所定量β１（本実施例では０リットル）を加えた量以下の場合（ＮＯ）にはステップＳ７に進み、越えている場合（ＹＥＳ）にはステップＳ８に進む。
なお、湯切れ防止最低貯湯量Ｌｍｉｎの値は、湯切れ防止の観点から、０リットルを越える、例えば、３０リットル値に決められている。
【００４７】
ステップＳ７で、電気式温水作製手段３を作動状態にして、追加沸き上げ量Ｌａｄｄ（本実施例では５０リットル）だけ増湯を行い、ステップＳ８に進む。
なお、本実施例では、サーミスタ１０１〜１０４、２０１〜２０４による湯量検出の分解能が略５０リットル毎であるので、追加沸き上げ量Ｌａｄｄを５０リットルにしている。
【００４８】
ステップＳ８で、沸き上げ開始時間ｔ- ｓｔａｒｔが到来しているか否かを判別し、到来していない場合（ＮＯ）はステップＳ３に戻り、到来している場合（ＮＯ）はステップＳ９に進む。
【００４９】
ステップＳ９で、現在のタンク貯湯熱量Ｑｔが目標蓄熱量Ｑｗを越えているか否かを判別し、越えていない場合（ＮＯ）にはステップＳ１０に進み、越えている場合（ＹＥＳ）にはステップＳ１６に進む。
【００５０】
ステップＳ１０で、電気式温水作製手段３を、沸き上げ完了または朝の７時（深夜時間帯終了時刻）迄、作動状態にし、ステップＳ１１に進む。
ステップＳ１１で、前日の昼間時間帯に増湯が行われたか否かを判別し、増湯が行われた場合（ＹＥＳ）にはステップＳ１３に進み、行われていない場合（ＮＯ）にはステップＳ１２に進む。
【００５１】
ステップＳ１２で、朝時間帯の第２所定量β２（本実施例では初期値が５０リットル）を１０リットル減らし、ステップＳ２に戻る。但し、第２所定量β２は０リットル以上を維持するものとする。
【００５２】
ステップＳ１３で、現在の第２所定量β２が１００リットル以下であるか否かを判別し、１００リットル以下である場合（ＹＥＳ）にはステップＳ１４に進み、１００リットルを越える場合（ＮＯ）にはステップＳ２に戻る。
ステップＳ１４で、朝時間帯の第２所定量β２（本実施例では初期値が５０リットル）を２０リットル増やし、ステップＳ２に戻る。
【００５３】
ステップＳ１５で現在の時間帯を判別し、朝時間帯である場合にはステップＳ１６に進み、晩時間帯である場合にはステップＳ１８に進み、昼間時間帯である場合にはステップＳ２０に進む。
【００５４】
［朝時間帯（７：００〜１０：００）の作動］
ステップＳ１６で、サーミスタ１０１〜１０４、２０１〜２０４の検出データから判定される現在のタンク貯湯量Ｌｔが、最低貯湯量設定手段４で設定した最低貯湯量Ｌｓｅｔおよび湯切れ防止最低貯湯量Ｌｍｉｎ（本実施例では５０リットル）のうち多い方に、第２所定量β２（本実施例では５０リットル）を加えた量を越えているか否かを判別し、第２所定量β２（本実施例では５０リットル）を加えた量以下の場合（ＮＯ）にはステップＳ１７に進み、越えている場合（ＹＥＳ）にはステップＳ２に戻る。
【００５５】
ステップＳ１７で、電気式温水作製手段３を作動状態にして、追加沸き上げ量Ｌａｄｄ（本実施例では５０リットル）だけ増湯を行い、ステップＳ２に戻る。
【００５６】
［晩時間帯（１７：００〜２３：００）の作動］
ステップＳ１８で、サーミスタ１０１〜１０４、２０１〜２０４の検出データから判定される現在のタンク貯湯量Ｌｔが、最低貯湯量設定手段４で設定した最低貯湯量Ｌｓｅｔおよび湯切れ防止最低貯湯量Ｌｍｉｎ（本実施例では５０リットル）のうち多い方に、第４所定量β４（本実施例では５０リットル）を加えた量を越えているか否かを判別し、第４所定量β４（本実施例では５０リットル）を加えた量以下の場合（ＮＯ）にはステップＳ１９に進み、越えている場合（ＹＥＳ）にはステップＳ２に戻る。
【００５７】
ステップＳ１９で、電気式温水作製手段３を作動状態にして、追加沸き上げ量Ｌａｄｄ（本実施例では５０リットル）だけ増湯を行い、ステップＳ２に戻る。
【００５８】
［昼間時間帯（１０：００〜１７：００）の作動］
ステップＳ２０で、サーミスタ１０１〜１０４、２０１〜２０４の検出データから判定される現在のタンク貯湯量Ｌｔが、最低貯湯量設定手段４で設定した最低貯湯量Ｌｓｅｔおよび湯切れ防止最低貯湯量Ｌｍｉｎ（例えば５０リットル）のうち多い方に、第３所定量β３（本実施例では０リットル）を加えた量を越えているか否かを判別し、第３所定量β３（本実施例では０リットル）を加えた量以下の場合（ＮＯ）にはステップＳ２１に進み、越えている場合（ＹＥＳ）にはステップＳ２に戻る。
【００５９】
ステップＳ２１で、電気式温水作製手段３を作動状態にして、追加沸き上げ量Ｌａｄｄ（例えば５０リットル）だけ増湯を行い、ステップＳ２に戻る。
【００６０】
つぎに、給湯装置Ｂの利点を述べる。
［イ］給湯装置Ａでは、７：００〜１０：００、若しくは、１０：００〜１７：００の間に、多量の湯を使用する生活パターンを使用者が取ると、昼間時間帯に増湯動作がなされる頻度が高くなる。
【００６１】
しかし給湯装置Ｂは、朝７：００の時点（ステップＳ１１）で、前日の昼間時間帯に増湯動作が行われたか否かを判別し、増湯動作が行われており、且つ、第２所定量β２が１００リットル以下の場合には、所定量（２０リットル）を第２所定量β２に加算し、また、増湯動作が行われていない場合には、第２所定量β２が０リットルを下回らない範囲で第２所定量β２から所定量（１０リットル）を減らす構成である。
【００６２】
このため、使用者が、頻繁に７：００〜１０：００の間に、多量の湯を使用する生活パターンを取って昼間時間帯に増湯動作が行われる場合には、朝時間帯に湯を貯めておく制御がなされるため、昼間時間の増湯動作を起き難くすることができる。また、昼間時間帯に増湯動作が行われない生活パターンを取る場合には、第２所定量β２が小さい値に収束するので、貯湯が無駄になされず、電気代を低減することができる。
なお、第２所定量β２が毎日、更新されるので、使用者の使用パターンに増湯動作を追従させることができる。
【００６３】
本発明は、上記実施例以外につぎの実施態様を含む。
ａ．貯湯タンクは、一個であっても良い。
また、複数のタンクを直列に接続して貯湯タンクを構成しても良い。
複数のタンクを直列に接続する場合、タンク下部とは、給水配管が連結されるタンクの下部である。また、タンク上部とは、電気式温水作製手段の出湯配管が連結されるタンクの上部である。
【００６４】
ｂ．各時間帯において確保したい貯湯量を決める方法として、各時間帯の最低貯湯量や湯切れ防止最低貯湯量を変更する方法も考えられるが、使用者が戸惑うので適当ではないので、本発明では、第１所定量α１、β１、第２所定量α２、β２、第３所定量α３、β３、第４所定量β４を変える様にしている。
【００６５】
ｃ．上記実施例では、各時間帯の第１所定量α１、β１、第２所定量α２、β２、第３所定量α３、β３、第４所定量β４は、同一時間帯で一定値を維持するが、下記の構成を満たせば、加熱開始時刻前の深夜時間帯、朝時間帯、または晩時間帯の一つ以上の時間帯で、時間帯の終了時刻に向けて、無段階または複数段階に増量していく構成にしても良い。
なお、加熱開始時刻前の深夜時間帯以外の時間帯に増湯していく構成を採用すると、増湯動作が成されるため電気代の増加が生じる。
【００６６】
・深夜時間帯の第１所定量α１の最大値および昼間時間帯の第３所定量α３の最大値は小さい値を取る。また、朝晩時間帯の第２所定量α２の最小値を昼間時間帯の第３所定量α３の最大値より大きく設定する。
【００６７】
ｄ．電気式温水作製手段の加熱能力が固定されていると、一旦、決まった加熱開始時刻後に湯を使用すると深夜時間帯の終了時迄に沸き上がらないので、加熱能力が複数段階等に増減可能な構成であっても良い。
【図面の簡単な説明】
【図１】本発明の第１、第２実施例に係る給湯装置の構成図である。
【図２】本発明の第１実施例に係る給湯装置の作動を示すフローチャートである。
【図３】本発明の第２実施例に係る給湯装置の作動を示すフローチャートである。
【符号の説明】
１、２  貯湯タンク
３  電気式温水作製手段
４  最低貯湯量設定手段
５  制御器
１２  水
１３  給水源
α１、β１  第１所定量
α２、β２  第２所定量
α３、β３  第３所定量
β４  第４所定量
Ａ、Ｂ  給湯装置
【図１】
0004169469.tif 000002
【図２】
0004169469.tif 000003
【図３】
0004169469.tif 000004